(57)【要約】【課題】      動き易く、ヒップアップ効果があり、マッサージ効果により血行をよくし、ベルトにより骨盤の矯正をし、しかもそのベルトが立ったり座ったりしても所定位置からずれないような骨盤補整ガードルを提供する。【解決手段】  緯編で編成されたガードルであり、ウエスト部４の下から裾部５にわたって延びる複数本の第１帯状部１および複数本の第２帯状部２が形成されており、第１、第２の複数本の帯状部の上端はガードルの後中心付近から脇までの間にそれぞれ位置しており、帯状部は上端から少なくとも股上の高さの中心を越えるまではガードルの前中心に向って斜め下向に延びており、第１帯状部は隣接する編地部よりも編目の伸縮性が小さく、第２帯状部の下側部分２１および後身頃の脚部の編地８にはガードルの内側に突出する菱形の格子状の隆起部が形成されており、ガードルの後身頃の腰部６に２本の骨盤締付けベルトの上側ベルト７１が縫着されている。【選択図】        図９
2005113311.tif 000002
【特許請求の範囲】
【請求項１】
緯編で編成されたガードルであって、ウエスト部の下から裾部にわたって延びる複数本の第１帯状部および複数本の第２帯状部が形成されており、前記第１、第２の複数本の帯状部の上端はガードルの後中心付近から脇までの間にそれぞれ位置しており、前記帯状部は前記上端から少なくとも股上の高さの中心を越えるまではガードルの前中心に向って斜め下向に延びており、前記第１帯状部は隣接する編地部よりも編目の伸縮性が小さいことを特徴とするガードル。
【請求項２】
前記第１帯状部の編地は、１ウェール置きに平編目がウェール方向に連続して編成されており且つその間のウェールにおいては５〜２０コース毎に平編目がコース方向に連続して編成されており、残余の部分は浮き編のウエルトループとして編成されていることを特徴とする請求項１記載のガードル。
【請求項３】
前記第２の帯状部の下側部分および後身頃の脚部の編地にはガードルの内側に突出する畝が多数本形成されていることを特徴とする請求項１または２記載のガードル。
【請求項４】
前記第２帯状部の下側部分および後身頃の脚部の編地にはガードルの内側に突出する菱形の格子状の隆起部が形成されていることを特徴とする請求項１または２記載のガードル。
【請求項５】
前記第１および第２の帯状部がカーブしていることを特徴とする請求項１〜４のいずれか１項に記載のガードル。
【請求項６】
伸縮性を有する２本の骨盤締付けベルトがそれらの左右両端において互いに縫着されており、該縫着された箇所に左右一対の留め具が設けられており、前記骨盤締付けベルトにおける上側ベルトがその中央において前記ガードルの後身頃の腰部に縫着されていることを特徴とする請求項１〜５のいずれか１項に記載のガードル。
【請求項７】
伸縮性を有する２本の骨盤締付けベルトがそれらの左右両端において互いに縫着されており、該縫着された箇所に左右一対の留め具が設けられており、前記骨盤締付けベルトにおける上側ベルトと、前記ガードルの後身頃とに互いに着脱自在に係合可能な対の留め具がそれぞれ設けられていることを特徴とする請求項１〜５のいずれか１項に記載のガードル。
【発明の詳細な説明】
【技術分野】
【０００１】
本発明はガードルに関するものであり、特に、骨盤補整用ガードルに関するものである。
【背景技術】
【０００２】
従来、体型を補整するためにガードルが使用されているが、従来のガードルは引締め力が強過ぎるものが多い。また一方、柔らか過ぎるガードルでは単に引締め力を弱くしただけのものもある。
【０００３】
一方、最近では骨盤のずれや歪みが成人病や内臓障害など体に様々な障害を及ぼす可能性があること、および歪んだ骨格に無駄な脂肪がついたり、臓器が下垂することから肥満の原因の一つとも言われている。このようなことは本や雑誌或いはテレビなどでも報じられて、骨盤の歪みが悪いことは広く知られるようになっている。
【０００４】
また、従来から腰痛などの痛みを和らげるための腰痛ベルトや骨盤の歪みを治すためにベルトが用いられている。例えば、特許文献１（特許第２９７８８１８号公報）には上側ベルトと下側ベルトの２つが両端でそれぞれ一体化されており、装着したときに前で止めるようになっているものが開示されている。特許文献２（特開２００１−８７２９５号公報）、特許文献３（特開平１１−５６８８７号公報）、特許文献４（特開平８−２９４５０５号公報）、特許文献５（登録実用新案第３０１４８２９号公報）等においては、前述したものと同様に上側ベルトと下側ベルトがその両端で一体化されており、しかもその上下ベルトは、その中央部において連結部材によって連結されるようになっているものが開示されている。しかし前述したような矯正用ベルトは、着用した状態で着用者が立ったり座ったり、或いは体を捻ったり歩き廻ったり移動することにより、どうしてもベルトがずれてきて着用感の悪いものであった。また、ずれないようにするために強く締め過ぎると着用しているのが辛くなるほど苦しいことになってしまったり、締付け過ぎのために血行が悪くなるなどの問題が生じてしまうものである。
【０００５】
このようなベルトがずれてしまうという問題を解決するものとして、ガードルとベルトとを一体化したものも提案されている。例えば、特許文献６（特開２００１−１０４３６９号公報）には腰痛治療用ガードルが開示されており、このガードルはガードル本体の右大腿部には先端部の背面に係止テープを設けた幅広の右伸縮バンドを取り付け、ガードル本体の左大腿部には先端部に係止テープを設けた幅広の左伸縮バンドを取り付け、右腰部及び左腰部に前記係止テープが係止するための係止部材を設け、前記右伸縮バンドと前記左伸縮バンドを腰部の背面で交差させて装着することを特徴とする腰痛治療用ガードルが開示されている。
【０００６】
また、特許文献７（特開平６−１７３１０１号公報）には、ガードルの側部に骨盤矯正片が取付けられているガードルが示されており、後身頃には骨盤矯正片が存在せず、腹部のみを締付けるようにしたものが開示されている。
【０００７】
特許文献８（実用新案登録第２６０７６１３号公報）には、矯正用ファンデーションとしてウエストの部分と腹部を締付けるための２本の帯部が取付けられたガードルが開示されている。また、特許文献９（実公平４−４９１２１号公報）には、前述した特許文献８と同様にウエスト部およびヒップ部の箇所にバンドが取付けられたガードルが開示されている。更に、特許文献１０（登録実用新案第３０８８８１０号公報）にはウエスト部分に締付けバンドが取付られている腰痛用の下着が開示されている。
【０００８】
【特許文献１】特許第２９７８８１８号公報
【特許文献２】特開２００１−８７２９５号公報
【特許文献３】特開平１１−５６８８７号公報
【特許文献４】特開平８−２９４５０５号公報
【特許文献５】登録実用新案第３０１４８２９号公報
【特許文献６】特開２００１−１０４３６９号公報
【特許文献７】特開平６−１７３１０１号公報
【特許文献８】実用新案登録第２６０７６１３号公報
【特許文献９】実公平４−４９１２１号公報
【特許文献１０】登録実用新案第３０８８８１０号公報
【発明の開示】
【発明が解決しようとする課題】
【０００９】
前述した特許文献６に開示されているガードルは、バンドが太腿部に取着されており、背中でそのバンドを交差させるため、交差して重なり合った部分が分厚くなってしまい、そのためこのようなガードルを着用するとベルトの凹凸が上に着ている衣服に響いてしまい、みっともないものになってしまう。更に、そのバンドがガードルに取付けられた部分が引張られるため、着用した状態で身体を動かすと違和感が生じてしまうものである。
【００１０】
また特許文献７に示されているものも、ガードルの側部に骨盤矯正片が取付けられており、腹部を圧迫するだけであるので、単に締付力のみを感じてしまい、腹部の血行などが悪くなってしまう。
【００１１】
同様に特許文献８〜１０に示されているものも単にガードルや下着に締付け用のベルトが取付けられているものであり、ベルトの位置は動かないという利点はあるものの単に締付けだけであり、そのベルトもガードルにしっかり縫付けられているために、着用した状態で立ったり座ったりすると身体に圧力が変に掛かってたりするので窮屈な思いがする。
【００１２】
本発明は、前述したような従来のガードルの問題点を解決し、動き易くしかもヒップアップ効果もあり、従来のガードルと異なってマッサージ効果により血行をよくしたガードルを提供すること、およびベルトにより骨盤の矯正をし、しかもそのベルトが立ったり座ったりしても所定位置からずれないような骨盤補整ガードルを提供することを目的とするものである。
【課題を解決するための手段】
【００１３】
本発明は、緯編で編成されたガードルであって、ウエスト部の下から裾部にわたって延びる複数本の第１帯状部および複数本の第２帯状部が形成されており、前記第１、第２の複数本の帯状部の上端はガードルの後中心付近から脇までの間にそれぞれ位置しており、前記帯状部は前記上端から少なくとも股上の高さの中心を越えるまではガードルの前中心に向って斜め下向に延びており、前記第１帯状部は隣接する編地部よりも編目の伸縮性が小さいことを特徴とするガードルにより前記目的を達成する。この場合、前記第１および第２の帯状部がカーブしていることが好ましい。
【００１４】
前記第１帯状部の編地は、１ウェール置きに平編目がウェール方向に連続して編成されており且つその間のウェールにおいては５〜２０コース毎に平編目がコース方向に連続して編成されており、残余の部分は浮き編のウエルトループとして編成されていることが好ましい。
【００１５】
また、本発明においては、前記第２の帯状部の下側部分および後身頃の脚部の編地にはガードルの内側に突出する畝が多数本形成されていることが好ましく、これにより脚部の血行を促すことができる。この場合、ガードルの内側に突出する畝が菱形の格子状の隆起部であることが好ましい。
【００１６】
更に、本発明によれば、伸縮性を有する２本の骨盤締付けベルトがそれらの左右両端において互いに縫着されており、該縫着された箇所に左右一対の留め具が設けられており、前記骨盤締付けベルトにおける上側ベルトがその中央において前記ガードルの後身頃の腰部に縫着されている骨盤補整ガードルにより前記目的を達成する。また、前記骨盤締付けベルトをガードルに固着する代りに、前記骨盤締付けベルトにおける上側ベルトと、前記ガードルの後身頃とに互いに着脱自在に係合可能な対の留め具をそれぞれ設けて、着脱可能としてもよい。
【発明の効果】
【００１７】
本発明のガードルは、ウェール方向に伸縮性の少ない第１帯状部と、それよりも伸縮性の大きな第２帯状部とを交互に配置し、しかもそれらの第１、第２帯状部の上端が脇から後中心部付近に位置しており、上端から下方に延びる際に、前中心に向かって斜め下方に延びている。このような構成にしたことにより、ヒップアップ効果が得られる。
【００１８】
また、第２帯状部の下側部分は、ガードルの内面に突出する畝状部を多数設けたことによりマッサージ効果を有し、血行を促進するものである。また、このように内側に突出する畝を設けたことにより、締付け力が強くなり過ぎず、しかも伸縮性の少ない第１帯状部によりサポート力もあるものとしている。
【００１９】
また、本発明により骨盤締付けベルトをガードルと一体化して設けているので、立ったり座ったりもそのベルトがずれたりしない。しかも骨盤締付けベルトは両端において一体化されているだけであり、その中間においては上下が連結されておらず自由に動けるので、立ったり座ったりしたときも自由に変化でき、着用感がよいものである。また、下側ベルトが上側ベルトに固定されていないので、着用者の体型に合わせて、その下側ベルトの位置をヒップが掛かるようにして装着でき、ヒップアップ効果も得られる。
【００２０】
本発明のガードルにより骨盤の位置や状態を無理なく補整することができ、ダイエット効果も得られ、美容と健康に役立つことができるものである。
【発明を実施するための最良の形態】
【００２１】
以下、本発明の実施の形態を図面に基いて説明する。本発明のガードルは、緯編で編成されるものであり、特に、シングル針床の丸編機にて効率よく編成されるものである。
【００２２】
図１は本発明のガードルの一実施例を示すものであり、図１（ａ）はガードルの正面図を示し、図１（ｂ）はガードルの背面図を示している。図１に示すように、ウエスト部４と裾部５の間には複数本の帯状部が形成されている。第１帯状部１と第２帯状部２が交互にウエスト部４から裾部５に向って延びている。第１帯状部１および第２帯状部２の上端はガードルの後中心付近から脇までの間に位置している。ガードルの腹部中央部３および後側中央の腰部６には帯状部１、２が形成されていない。図１（ｂ）に示すように、腰部６の下にはヒップ部７が設けられている。ヒップ部７の下方は脚部の中央部８となっている。
【００２３】
第１帯状部１はその隣接する領域の編地、すなわち、第２帯状部２、腹部中央部３或いは脚部中央部８の編地よりも少なくともウェール方向における伸縮性が小さい編地で編成されている。好ましくは、第１帯状部１はその隣接する領域の編地よりもウェール方向およびコース方向における伸縮性が小さい編地とすることである。なお、本発明において、ウェール方向はガードルにおける上下方向である。
【００２４】
第１および第２帯状部１、２は、その上端から下方に向って延びており、しかも股上の高さＬの中心を少なくとも越えるまでは前身頃の中心に向って斜めに直線状或いはカーブを描いて延びている。図１で示した実施例においては、ほぼ緩やかなカーブを描いた第１および第２帯状部１、２がそのまま斜めに裾部５まで延びているものである。
【００２５】
第２帯状部２は下側部分と上側部分で編み方を変えていてもよく、この実施例においては、下側部分２１はガードルの内側に向って突出する畝が多数本形成されている。この内側に向って突出する畝は左上がりの斜めの畝と右上がりの斜めの畝とによって菱形形状の格子状になっていることが好ましい。同じく、後側の脚部中央部８も第２帯状部２の下側の編み方と同じようにガードルの内側に突出する畝が形成されている編地とされている。
【００２６】
また、前側の腹部中央部３においては、ガードルの内側に突出する左上がりの畝と右上がりの畝が前中心で合わさった形状の畝を設けている。
【００２７】
後側中央の腰部６は、特に編組織は限定されないが、例えば、図７に示すような編組織やメッシュ編や平編のように延び易い編み方としてもよい。またヒップ部７および第２帯状部２の上側部分２２は内側には畝が突出していないが、伸縮性が腰部６よりも小さく、しかも第１帯状部１よりも伸縮性があるようなものとしている。
【００２８】
このようにガードルの縦方向に延びる２種類の帯状部を、伸縮性が少ないものと、それよりは大きいものを交互に配置し、しかもその帯状部１、２がガードルの上部においては前中心に向うように延びることにより、ヒップを前側の方に寄せて、ヒップを支えるという作用が行われる。
【００２９】
また、第２帯状部の下側部分２１および脚部中央部８、すなわち、脚部と足の付け根部付近には、内側に突出する畝を設けた編地としているので、身体を動かしたときに畝によって皮膚の摩擦が行われ、血行の促進が行われる。この場合も伸縮性の少ない第１帯状部１とそれよりは伸縮性の大きい第２帯状部２とが交互に配置されているので、ガードルを装着して動いたときに全体が畝となっているものよりもより刺激が与えられて、血行がよくなるという作用がある。
【００３０】
腹部中央部３の内側に突出する畝をＶ字状に形成したのも、腹部における摩擦効果を発揮させ腹部の血行をよくするためのものである。
【００３１】
図２は本発明のガードルの別の実施例を示すものであり、図２（ａ）は前側を示す正面図、図２（ｂ）はガードルの後側を示す背面図である。
【００３２】
この実施例において、図１に示した実施例と大きく異なる点は、第１帯状部１および第２帯状部２が大きくカーブして円弧状となっていることである。この第１帯状部１および第２帯状部２は実施例１と同様に交互に配置されており、その上端部は脇の部分から後中心付近まで位置している。そして上端から前中心寄りに帯状部１、２が斜め下方に向って延びており、この図示した実施例では、股上の高さＬの１／２の高さを越えて、約２／３Ｌ付近まで前中心側に向って延びており、その後カーブする方向が反転して、後中心側に向って延びて、全体として円弧状となっている。このように、第１帯状部１および第２帯状部２を円弧とすることにより、足の側部（脇部）を引締める効果がもたらされる。
【００３３】
また、腹部中央部３は、引締め効果を持たせるためにガードルの内側に突出するＶ字状の畝のある部分３１、３３の間に第１帯状部１と同じような編組織で伸縮性の少ない部分３２を設けている。これにより腹部の血行をよくするとともに、装着したときの腹部の引締め効果を第一実施例のものよりも高めたものである。
【００３４】
帯状部１、２および腹部中央部３を除く前側の部分は、下側の部分（前側脚部中央部）９１は第２帯状部の下側部分２１と同様な編地とされており、ガードルの内側に突出する菱形の格子状の畝が形成された編地である。他方、上側の部分（前側腰部）９２は第２帯状部の上側部分２２と同じような編み方とすればよい。図２（ｂ）に示すように、後側の部分においては図１に示した実施例と同様であり、また、後側の腰部６の縁部６１が第２帯状部の上側部分２２と同じような編み方とされている。
【００３５】
なお、図１および図２において、同じ編組織の部分は同じような線（斜線や縦線）を引いて示している。
【００３６】
図３はウェール方向Ｗに伸縮性の小さい第１帯状部を編成するための編組織の一実施例を示す編目による編組織図である。
【００３７】
図３に示すように、コース方向Ｃにおいて１ウェール置きに平編目１１０が連続して形成されたウェール１１が編成され、この平編目連続ウェール１１の間のウェール１２においては浮き編１２０が連続して編成されている。浮き編の開始点はどのウェールにおいても同じ位置から開始される。図３に示した実施例では、浮き編１２０は保持ループ１２１となる編目を保持した編針が編成中ウエルト位置（不作動位置）に保たれており編成作動を行わず、その間に供給する糸は編目を形成せずウエルトループ１２２となり、このウエルトループ１２２は保持ループ１２１の裏側に飛んだ状態となっている。図３に示した実施例では、浮き編１２０において７コースがウエルトループ１２２として編成が行われ、８コース目で保持ループが平編目１１０を形成する。従って、図３に示すように平編目１１０が１ウェール置きにウェール方向Ｗに連続して形成されているとともに、８コース毎にコース方向Ｃに平編目１１０が連続して形成されている。その他の箇所においては編目は形成されず、浮き編のウエルトループ１２２となっている。
【００３８】
このように浮き編１２０がウェール方向Ｗにおいて連続して編成され且つコース方向Ｃにおいて１ウェール置きに編成されているため、浮き編によりウェール方向Ｗの延びが制限されるので、ウェール方向Ｗにおける伸縮性が小さな編地となる。浮き編１２０を編成するウェール１２において、浮き編と次の浮き編との間に平編目を入れてもよいが、ウェール方向Ｗの伸縮性を小さく維持するためには、この平編目１１０は１〜２個程度までとすることが好ましい。
【００３９】
また、この実施例ではウエルトループ１２２の数を７としているが、これに限定されずウエルトループを好ましくは５〜２０、更に好ましくは５〜１５の範囲とした浮き編を形成してもよい。ウエルトループ１２２の数が少ない方が伸縮性が大きくなり、ウエルトループ１２２の数が多いと伸縮性が小さくなる。また、この実施例ではウェール方向Ｗに平編目が連続するウェール１１と浮き編１２０が編成されるウェール１２とのコース方向Ｃにおける割合が１：１であるが、ウェール１１の割合が大きいとコース方向Ｃの伸縮性が大きくなり、ウェール１１の割合が小さいとコース方向Ｃの伸縮性が小さくなる。
【００４０】
図４は本発明に使用する編組織の一例であり、特許３４１５６１７号公報に開示されているものである。この編組織は第２帯状部の下側部分２１、後身頃の脚部中央部８、或いは前身頃の下側部分９１などに適用される編組織である。図４の編組織図に示すように、この編地は基本的には８コース飛ばしの浮き編が、その浮き編の開始点を右上がりまたは左上がりにずらして編成されており、それにより右上がりの畝および左上がりの畝が形成される。この畝はガードルにおいて内側に突出するものである。浮き編を行うウェールと通常の平編を行うウェールの比は１：１であり、浮き編は１ウェール置きに形成されている。そしてこの実施例では浮き編の開始位置は右上がりに２コースずつずれて開始されているか、或いは左上がりに２コースずつずれて浮き編が開始されている。浮き編の交差する部分は長い浮き編が形成されており、一番長い浮き編は、この実施例では２０コースに跨がる浮き編目が作られている。また、この実施例において、平編部はガードルの内側から見た場合に、菱形状の凹部となって表れるものである。菱形の格子状の隆起部が連続的に形成されるので、この隆起部がガードルを着用した人に対しては血行の促進を促すものである。
【００４１】
なお、第２帯状部の下側部分２１、後身頃の脚部中央部８、或いは前身頃の下側部分９１においては、この編み方に限定されるものではなく、ガードルの内側に突出する畝が多数形成さているものであれば、編組織はどのようなものでもよい。例えば、後で図６に説明するような編組織などでもよい。
【００４２】
図５は第２帯状部の上部部分２２、前側腰部９２およびヒップ部７を編成するのに使用される編組織の一例である。図５の編地においては、ａで示すコースにおいては浮き編の保持ループによる平編目１１０が２つ、浮き編のウエルトループ１２２が２つの繰返しとなっており、次に編まれるコースｂにおいては、平編目が編まれた箇所では浮き編のウエルトループ１２２となり、下段のコースａではウエルトループ１２２となっていた箇所は浮き編の保持ループにより平編目１１０が２つ編まれ、これがウェール方向Ｗに繰返されたものである。この編み方により、全体が平編目で編まれている編地に比べると伸縮性が小さい編地となっている。
【００４３】
図６は図１における腹部３を編成するための編組織の一例である。この図示した実施例においては、浮き編みの開始点が、その中央から右上がりおよび左上がりとなっており、ガードルの内側に向かって突出したＶ字形の畝が多数形成されている。畝部とＶ字形の平編部分とが交互になっており、伸縮性に富んだ編地であり且つ内部に突出しているため腹部のマッサージ効果が得られる。また、この編地は図２の腹部３１および３３の部分にも同じような編組織で畝として使用することができるものである。
【００４４】
図７は図２における腰部６を編成するための編組織の一例である。この図７に示した編組織図に見られるように、編地全体に平均的に平編目と浮き編のウエルトループ１２２が配置されたものである。図７においてａで示すコースにおいては平編目１１０、浮き編のウエルトループ１２２、平編目１１０、ウエルトループ１２２と繰返して編成される。次のコースｂにおいては、ウエルトループ１２２、浮き編目の保持ループ１２１による平編目１１０、ウエルトループ１２２、保持ループ１２１による平編目１１０の繰返しとなっている。矢印ｃで示すコースにおいては、ウエルトループ１２２、平編目１１０、ウエルトループ１２２、平編目１１０の繰返しとなっている。その次のコースｄにおいては、浮き編の保持ループ１２１による平編目１１０、ウエルトループ１２２、浮き編の保持ループによる平編目１１０、ウエルトループ１２２の繰返しになっている。ウェール方向Ｗにおいてはａ〜ｄの編み方が繰返して編成されるものである。
【００４５】
このように、かのこ模様のように平編目１１０とウエルトループ１２２が配置されており、ウエルトループ１２２は長く裏側に浮いたりしないので、編地の表面および裏面に凹凸がなく、平坦な状態となっている。
【００４６】
本発明のガードルの編成に使用する糸は伸縮性が比較的大きな糸がよい。糸使いは特に限定されないが、弾性糸（例えば、ポリウレタン糸を芯糸として、これにナイロン糸をカバリングしたもの）、ウーリーナイロン糸、弾性糸とウーリーナイロン糸とを組合わせたもの、その他の伸縮性のある糸などを使用できる。
【００４７】
図８は本発明のガードルに取付けられる骨盤締付けベルトのみを示すものであり、図８（ａ）はベルトの正面図、図８（ｂ）はその背面図である。この骨盤締付けベルトは伸縮性を有する２本のベルトと、その両側に取付けられた留め具とから構成されているものである。伸縮性を有する上側ベルト７１と下側ベルト７２自体は従来から骨盤補整ベルトに使用されているようなものを使用すればよい。両ベルト７１、７２は、その両端において縫目７３で縫合わされ、また、この縫目７３によりそれぞれ左右一対の留め具７４、７５が取付けられている。
【００４８】
この実施例では、一対の留め具７４、７５は面ファスナーであり、７５の箇所がフックを有する面ファスナー部、７４の箇所はループを有する面ファスナー部であり、フックを有する面ファスナー部７５に隣接してループを有する面ファスナー部７６が設けられている。上下のベルト７１、７２は両端で留め合わされているだけで中間部においては連結されていない。縫合わせ部７３においては、両ベルト７１、７２が図で示すように、上下にずれるような形態で縫い合わされている。
【００４９】
図９は本発明のガードルであり、図８に示した骨盤締付けベルトを図１に示したガードルに取付けた状態を示す正面図、図９（ｂ）はその背面図である。この実施例において、上側ベルト７１が図９（ｂ）に示すように、ガードルの腰部中央に縫目７７により縫着されている。
【００５０】
このガードルを装着する場合、まずフックを有する面ファスナー部７５を折って隣接するループを有する面ファスナー部７６に留めて、フックがガードル本体の編地に引っ掛からないようにする。そして、ガードルの股部を足のつけ根まで引き上げ、パンティ部を編目が均等になるようにウエスト位置まで引き上げる。太ももの部分から編地の伸びが均等になるようにして脚部を下げる。引締めベルトの両端を持ち、ベルトを腹部下方において両端を留める。ベルトは体に合わせて締付ければよい。この際、下側ベルト７２がヒップ部に掛かるようにすることにより、骨盤の補整も行われるとともにヒップアップ効果も得られる。また、このようにガードルと一体化されているので、立ったり座ったりした場合でも骨盤締付けベルトがずれ上がったりせず、常に安定した状態で装着できる。
【００５１】
なお、図示した実施例では図８（ａ）に示すように正面から見ると、上側ベルト７１が下側ベルト７２の上になるように重ねられて縫着されているが、逆に、下側ベルト７２が上側ベルト７１の上になるように重ねて縫着してもよい。この場合もガードルに取付けられるのは上側ベルト７１である。
【００５２】
また、この実施例においては、骨盤締付けベルトをガードルに縫着により一体化しているが、ガードルと骨盤締付けベルトにそれぞれ対となる留め具を取付けておき、その留め具を着脱することによって骨盤締付けベルトをガードルから取外せるようにしてもよい。
【図面の簡単な説明】
【００５３】
【図１】本発明のガードルの一実施例を示すものであり、（ａ）はその正面図、（ｂ）はその背面図である。
【図２】本発明のガードルの別の実施例を示すものであり、（ａ）は正面図であり、（ｂ）はその背面図である。
【図３】第１帯状部の編組織を示す一実施例であり、編目で表わした編組織図である。
【図４】後側の脚部中央部および第２帯状部の下側部分の編み方を示す編組織の一例を示す編目で表わした編組織図である。
【図５】第２帯状部の上側部分の編み方の一例を示す編目で表わした編組織図である。
【図６】腹部中央部における編み方の一例を示す編目で表わした編組織図である。
【図７】腰部における編み方の一例を示す編目で表わした編組織図である。
【図８】本発明のガードルに取付けられる骨盤締付けベルトの一実施例を示すものであり、（ａ）は正面図、（ｂ）はその背面図である。
【図９】図１に示したガードルに図８に示した骨盤締付けベルトを取付けた状態を示す正面図であり、（ｂ）はその背面図である。
【符号の説明】
【００５４】
１  第１帯状部
２  第２帯状部
３  腹部中央部
４  ウエスト部
５  裾部
６  腰部
７  ヒップ部
２１  第２帯状部の下側部分
２２  第２帯状部の上側部分
【図１】
2005113311.tif 000003
【図２】
2005113311.tif 000004
【図３】
2005113311.tif 000005
【図４】
2005113311.tif 000006
【図５】
2005113311.tif 000007
【図６】
2005113311.tif 000008
【図７】
2005113311.tif 000009
【図８】
2005113311.tif 000010
【図９】
2005113311.tif 000011